(57)【要約】【課題】タンクの熱膨張を吸収し、かつ、地震の際のタンクの軸方向の変位を抑制することが可能なガス絶縁母線用架台を提供する。【解決手段】ガス母線用架台３０は、スライド脚６０と、摺動部材７０と、粘弾性部材８０と固定部材９０とを備える。スライド脚６０は、絶縁ガスが充填され、軸方向に伸びる導体が納められた筒状のタンク２０に固定されている。摺動部材７０は、基礎２００よりも摩擦係数が小さく、タンク２０の伸縮に伴ってスライド脚６０が動いた際に、スライド脚６０と擦れる。粘弾性部材８０は、軸方向において、スライド脚６０及び固定部材９０の間に位置し、粘弾性を有する。固定部材９０は、基礎２００に対して固定され、軸方向においてスライド脚６０に対して間隔を置いて設けられている。【選択図】図１
2018170878.tif 000002
【特許請求の範囲】
【請求項１】
絶縁ガスが充填され、軸方向に伸びる導体が納められた筒状のタンクに固定されたスライド脚と、
基礎に対して固定され、前記軸方向において前記スライド脚に対して間隔を置いて設けられた固定部材と、
前記軸方向において前記スライド脚及び前記固定部材の間に位置し、粘弾性を有する粘弾性部材と、
前記基礎よりも摩擦係数が小さく、前記タンクの伸縮に伴って前記スライド脚が動いた際に前記スライド脚と擦れる摺動部材とを備える、ガス絶縁母線用架台。
【請求項２】
前記摺動部材における前記スライド脚と擦れる面である摺動面と、前記摺動面と対向する前記粘弾性部材の面である対向面との間には間隔がある、請求項１に記載のガス絶縁母線用架台。
【請求項３】
前記スライド脚及び前記基礎と電気的に接続された導線を備え、
前記スライド脚は導体から成る、請求項１又は請求項２に記載のガス絶縁母線用架台。
【請求項４】
前記スライド脚は、水平方向に広がる水平部を有し、
前記固定部は、前記水平部及び前記摺動部材を取り囲み、
前記摺動部材は、前記水平部の上下両面で、前記スライド脚に接している、請求項１から請求項３のいずれか１項に記載のガス絶縁母線用架台。
【請求項５】
前記固定部材は、さらに、前記スライド脚に対して前記軸方向及び鉛直方向と直交する直交方向において、前記スライド脚に対して間隔を置いて設けられ、
前記粘弾性部材は、さらに、前記直交方向において、前記スライド脚及び前記固定部材の間に位置する、請求項１から請求項４のいずれか１項に記載のガス絶縁母線用架台。
【発明の詳細な説明】
【技術分野】
【０００１】
本発明は、ガス絶縁母線を支持する架台に関するものである。
【背景技術】
【０００２】
近年、ガス絶縁母線の長尺化が進んでいる。これに伴って、母線が納められたタンクを支える架台には、タンクの熱膨張を吸収する構造と、地震の際のタンクの変位を抑制する構造とが求められている。このような架台を有するガス絶縁母線として、特許文献１に記載のガス絶縁母線がある。この種のガス絶縁母線（以下で、従来のガス絶縁母線と称す）が有する架台では、母線の軸方向（以下で、軸方向と称す）に伸びる溝が基礎に固定された部材に設けられている。そして、地震が発生した場合には、タンク側から伸びるピンがその溝に収まり、これが軸方向及び鉛直方向と直交する方向のタンクの変位を抑制する。また、溝は軸方向に伸びているため、溝に収まるピンは軸方向に自由に動くことができる。従って、軸方向におけるタンクの熱膨張を吸収することができる。
【先行技術文献】
【特許文献】
【０００３】
【特許文献１】特開平１１−１２２７６２号公報
【発明の概要】
【発明が解決しようとする課題】
【０００４】
しかし、従来のガス絶縁母線が有する架台では、溝に収まるピンは軸方向に自由に動くことができるため、地震が発生した際に、軸方向におけるタンクの変位を抑制することができないという問題があった。
【０００５】
本発明は、上記に鑑みてなされたものであって、タンクの熱膨張を吸収し、かつ、地震の際のタンクの軸方向の変位を抑制することが可能なガス絶縁母線用架台を得ることを目的とする。
【課題を解決するための手段】
【０００６】
上述した課題を解決し、目的を達成するために、本発明に係るガス絶縁母線用架台では、絶縁ガスが充填され、軸方向に伸びる導体が納められた筒状のタンクに固定されたスライド脚と、基礎に対して固定され、軸方向においてスライド脚に対して間隔を置いて設けられた固定部材と、軸方向においてスライド脚及び固定部材の間に位置し、粘弾性を有する粘弾性部材と、基礎よりも摩擦係数が小さく、タンクの伸縮に伴ってスライド脚が動いた際にスライド脚と擦れる摺動部材とを備える。
【発明の効果】
【０００７】
本発明によれば、タンクの熱膨張を吸収し、かつ、地震の際のタンクの軸方向の変位を抑制することができる。
【図面の簡単な説明】
【０００８】
【図１】実施の形態１にかかるガス絶縁母線用架台を含むガス絶縁母線１０の構成の一例を示す図である。
【図２】実施の形態１にかかるガス絶縁母線用架台の固定脚を軸方向から見た図である。
【図３】実施の形態１にかかるガス絶縁母線用架台のスライド脚を軸方向から見た図である。
【図４】図３のＢ−Ｂ断面における断面図である。
【図５】図３のＣ−Ｃ断面における断面図である。
【図６】図１のＡ−Ａ断面における断面図である。
【図７】スライド脚、摺動部材、粘弾性部材の位置関係を示した斜視図である。
【図８】実施の形態２にかかるガス絶縁母線用架台における、図１のＡ−Ａ断面の断面図である。
【図９】ガス絶縁母線用架台を含むガス絶縁母線１０の構成の一例を示す図である。
【発明を実施するための形態】
【０００９】
一実施形態であるガス絶縁母線用架台について、添付した図面を参照しながら説明する。以下の説明及び各図において、母線の伸びる方向（軸方向）と平行な方向をｘ軸で、鉛直方向をｙ軸で、ｘ軸方向及びｙ軸方向と直交する方向をｚ軸で表す。なお、以下の実施形態において、ｘ軸方向とｙ軸方向とは直行している。また、各実施の形態において同一の構成については、同一の符号を付す。
【００１０】
実施の形態１．
図１は、実施の形態１にかかるガス絶縁母線用架台を含むガス絶縁母線の概略構成の一例を示す図である。
【００１１】
ガス絶縁母線１０は、タンク２０と、ガス絶縁母線用架台３０とを備える。
【００１２】
タンク２０は、ｘ軸方向に伸びる円筒状の部材であり、その円筒の内部には、母線である導体が収納されている。また、タンク２０は、鉄を主たる材料とする。さらに、タンク２０により形成される導体を取り囲む空間は、ＳＦ６ガス等の絶縁ガスで満たされている。
【００１３】
ガス絶縁母線用架台３０は、基礎２００上に固定され、タンク２０を当該タンク２０の下面から支持する。また、ガス絶縁母線用架台３０は、固定脚４０、固定脚用ベース５０、スライド脚６０、摺動部材７０（図１には記載しない）、粘弾性部材８０（図１には記載しない）、固定部材９０、及びスライド脚用ベース１００を有する。
【００１４】
固定脚４０は、タンク２０を支持する鉄製の部材であり、図２に示すように、１つのタンク２０に対して２つ取り付けられている。具体的には、固定脚４０は、当該固定脚４０の上側に位置する固定脚上端部４２、当該固定脚４０の下側に位置する固定脚下端部４４、及び固定脚上端部４２と固定脚下端部４４とを接続する固定脚接続部４６とに分けることができる。
【００１５】
固定脚上端部４２は、板状の部材がタンク２０の面に沿うように折り曲げられている部分であり、タンク２０に溶接されている。
【００１６】
固定脚下端部４４は、水平方向と平行な平板状を成す部分であり、固定脚用ベース５０を介して、コンクリートでできた基礎２００に固定されている。
【００１７】
固定脚接続部４６は、ｘ軸方向及びｙ軸方向と平行な平板であり、上記のとおり、固定脚上端部４２と固定脚下端部４４とを接続している。そして、２つの固定脚４０は、ｚ軸方向と平行な方向に並ぶようにタンク２０に取り付けられている。なお、固定脚用ベース５０は、長方形上の鉄製の平板である。
【００１８】
スライド脚６０は、タンク２０を支持する鉄製の部材であり、図１に示すように、固定脚４０に対してｘ軸方向と平行な方向に並ぶようにタンク２０に取り付けられている。また、スライド脚６０は、図３に示すように、１つのタンク２０に対して２つ取り付けられ、それらは、ｚ軸方向と平行な方向に並ぶように配置されている。ここで、スライド脚６０は、当該スライド脚６０の上側に位置するスライド脚上端部６２、当該スライド脚６０の下側に位置するスライド脚下端部６４、及びスライド脚上端部６２とスライド脚下端部６４とを接続するスライド脚接続部６６とに分けることができる。
【００１９】
スライド脚上端部６２は、板状の部材がタンク２０の面に沿うように折り曲げられている部分であり、タンク２０に溶接されている。
【００２０】
スライド脚下端部６４は、直方体状の部分であり、図４及び図５に示すように、その下面が後述する摺動部材７０の下側摺動板７４の上面と接している。また、スライド脚下端部６４は、他の部品に固定されていない。
【００２１】
スライド脚接続部６６は、ｘ軸方向及びｙ軸方向と平行な平板であり、図３に示すように、スライド脚上端部６２とスライド脚下端部６４とを接続している。また、図４に示すように、スライド脚接続部６６の側面には、導線である接地線６８がボルト１５０により取り付けられている。ここで、図６に示すように、スライド脚接続部６６のｚ軸方向（水平方向）における幅ｄ１は、スライド脚下端部６４のｚ軸方向（水平方向）における幅ｄ２よりも狭い。すなわち、スライド脚下端部６４は、スライド脚６０において、ｚ軸方向（水平方向）に広がる部分であると言える。
【００２２】
摺動部材７０は、図６に示すように、２枚の上側摺動板７２及び１枚の下側摺動板７４から構成されている。また、２枚の上側摺動板７２及び１枚の下側摺動板７４はいずれも、ポリテトラフルオロエチレン（ＰＴＦＥ）からなり、水平方向と平行な長方形状の板材である。そして、摺動部材７０は、タンク２０が熱膨張などで伸縮し、これに伴ってスライド脚６０が動いた際に、スライド脚下端部６４と擦れる部材である。
【００２３】
上側摺動板７２は、図５に示すように、スライド脚下端部６４の上側に位置し、上側摺動板７２の下面である上側摺動板下面７３は、スライド脚下端部６４の上面と接している。また、上側摺動板７２は、図６に示すように、ｘ軸方向に伸びる隙間３００を空けて並ぶように配置されている。そして、図７に示すように、この隙間３００をスライド脚接続部６６が通る。
【００２４】
下側摺動板７４は、スライド脚下端部６４の下側に位置している。また、ｙ軸方向から見たときに、下側摺動板７４が成す長方形は、スライド脚下端部６４の下面が成す長方形とほぼ同じ形状であり、それらの長方形は一致するように重なる。さらに、図４から図６に示すように、下側摺動板７４の下面は、後述するスライド脚用ベース１００と接している。
【００２５】
粘弾性部材８０は、スチレンゴム（ＳＢＲ）からなる直方体状の部材である。また、粘弾性部材８０は、図５に示すように、スライド脚下端部６４及び下側摺動板７４をｘ軸方向の両側から挟むように２つ設けられている。ここで、各粘弾性部材８０は、ｙ軸方向から見たときに、上側摺動板７２と重なる位置に配置されている。しかし、粘弾性部材８０の上面である粘弾性部材上面８１と上側摺動板下面７３との間には間隔３０６が設けられているため、それらの面は接触していない。
【００２６】
固定部材９０は、スライド脚下端部６４、摺動部材７０及び粘弾性部材８０を上面及び側面から取り囲む鉄製の部材である。また、固定部材９０は、後述するスライド脚用ベース１００を介して、基礎２００に固定されている。そして、固定部材９０は、側壁部９２及び天井部９４に分けることができる。
【００２７】
側壁部９２は、図５及び図６に示すように、スライド脚下端部６４、摺動部材７０及び粘弾性部材８０を側面、つまり、水平方向から取り囲む部分である。具体的には、側壁部９２は、４枚の板金から構成されている。そして、これら４枚の板金のうち２枚の板金がｘ軸方向の両側から、残り２枚がｚ軸方向の両側から摺動部材７０及び粘弾性部材８０を挟み込む。また、側壁部９２を構成する各板金の下端は、水平方向に広がっている。そして、この広がっている部分が、後述するスライド脚用ベース１００に締結されている。
【００２８】
ここで、図４及び図５に示すように、スライド脚下端部６４のｘ軸方向と直交する面６５及び側壁部９２の間には、空間３０２が設けられている。つまり、ｘ軸方向において、側壁部９２は、スライド脚下端部６４に対して間隔を置いて設けられている。また、空間３０２には、粘弾性部材８０が配置されている。従って、粘弾性部材８０は、ｘ軸方向において、スライド脚６０及び固定部材９０の間に位置していると言える。そして、側壁部９２と粘弾性部材８０との間には隙間がない。これにより、２つの粘弾性部材８０及びこれらに挟まれる下側摺動板７４は、ｘ軸方向における位置が側壁部９２により拘束されている。また、側壁部９２と上側摺動板７２との間にも隙間がない。従って、上側摺動板７２は、側壁部９２によりｘ軸方向の位置が拘束されている。なお、図６に示すように、ｚ軸方向において、側壁部９２及びスライド脚下端部６４は密着しておらず、それらの間には多少の隙間が存在する。
【００２９】
天井部９４は、上側摺動板７２をその上部から覆う部分であり、天井部９４の下面は、上側摺動板７２と接している。さらに、天井部９４は、図６に示すように、２枚の平板９４ａ，９４ｂにより構成されている。
【００３０】
平板９４ａ，９４ｂはそれぞれ、長方形を成す平板であり、これら２つの平板がｘ軸方向に伸びる隙間３００を空けて並ぶように配置されている。そして、この隙間３００をスライド脚接続部６６が通る。なお、各平板９４ａ，９４ｂは、側壁部９２を構成するいずれかの板金と溶接やボルトにより固定されている。
【００３１】
スライド脚用ベース１００は、図１及び図３に示すように、長方形を成す平板であり、ガス絶縁母線用架台３０を支える基礎２００にボルトによって固定されている。また、スライド脚用ベース１００を固定するボルト１５２は、図４に示すように、スライド脚６０から伸びる接地線６８も固定している。
【００３２】
以上のように構成されたガス絶縁母線用架台３０では、タンク２０が熱膨張した際に、スライド脚６０がｘ軸方向に動いて、タンク２０の熱膨張を吸収する。具体的には、図５に示すように、ガス絶縁母線用架台３０では、側壁部９２は、スライド脚下端部６４に対して間隔を置いて設けられている。また、スライド脚下端部６４と側壁部９２との間には、弾性を有するスチレンゴムから成る粘弾性部材８０が納められている。これにより、ガス絶縁母線用架台３０では、タンク２０が熱膨張した際に、タンク２０に固定されたスライド脚６０のスライド脚下端部６４が、粘弾性部材８０を押しつぶしながら、ｘ軸方向に動くことができる。さらに、スライド脚下端部６４の上下面は、コンクリートから成る基礎２００よりも摩擦係数の小さいポリテトラフルオロエチレンから成る摺動部材７０と接している。これにより、スライド脚６０は、基礎２００と接触する場合と比較して、ｘ軸方向をよりスムーズに動くことができる。その結果、ガス絶縁母線用架台３０は、タンク２０が熱膨張した際に、スライド脚６０がｘ軸方向にスムーズに動いてタンク２０の熱膨張を吸収することができる。
【００３３】
また、ガス絶縁母線用架台３０では、ｘ軸方向において、スライド脚下端部６４と側壁部９２との間に粘弾性部材８０がある。これにより、地震の際にタンク２０が揺れ、タンク２０に固定されたスライド脚６０が変位した場合に、粘弾性部材８０がその粘弾性によりスライド脚６０の変位を抑制する。つまり、粘弾性部材８０は、スライド脚６０を介してタンク２０の変位を抑制している。従って、ガス絶縁母線用架台３０では、地震の際のタンクのｘ軸方向の変位を抑制することができる。なお、粘弾性部材８０は、固定部材９０の側壁部９２によりその位置が拘束されているため、地震の際にスライド脚下端部６４と共に動くことはない。
【００３４】
さらに、ガス絶縁母線用架台３０では、地震の際のタンク２０のｙ軸方向（鉛直方向）の変位も抑制することができる。具体的には、ガス絶縁母線用架台３０では、スライド脚下端部６４の上部に上側摺動板７２が位置し、下部に下側摺動板７４が位置している。ここで、上側摺動板７２と下側摺動板７４とが、ｙ軸方向において、固定容器９０とスライド脚下端部６４との空間を埋める。このように固定容器９０とスライド脚下端部６４との空間が埋められるため、スライド脚下端部６４は、ｙ軸方向の変位が抑制される。結果として、ガス絶縁母線用架台３０では、地震の際に、スライド脚６０に固定されたタンク２０のｙ軸方向の変位も抑制することができる。
【００３５】
これに加え、ガス絶縁母線用架台３０では、図５に示すように、上側摺動板下面７３と粘弾性部材上面８１との間に間隔３０６が設けられているため、それらの面は接触していない。従って、タンク２０の熱膨張等で、スライド脚６０が動いた際に、上側摺動板下面７３及び粘弾性部材上面８１が擦れることが防止される。結果として、粘弾性部材８０の摩耗を抑制することができる。
【００３６】
ところで、ガス絶縁母線用のタンク２０では、地面と同じ電位、すわなち、接地されていることが望ましい。ここで、ガス絶縁母線用架台３０では、スライド脚６０及びスライド脚ベース１００は、鉄、つまり導体から成る。そして、図４に示すように、スライド脚接続部６０の側面から伸びる接地線６８が、基礎２００に固定されたスライド脚用ベース１００に接続されている。これにより、ガス絶縁母線用架台３０では、タンク２０を接地することができる。
【００３７】
実施の形態２．
実施の形態１に係るガス絶縁母線用架台３０と実施の形態２に係るガス絶縁母線用架台３０Ａとの主たる相違点は粘弾性部材８０の配置である。具体的には、ガス絶縁母線用架台３０Ａでは、粘弾性部材８０が、ｘ軸方向に加え、図８に示すように、ｚ軸方向の両側からもスライド脚下端部６４及び下側摺動板７４を挟むように２つ設けられている。また、スライド脚下端部６４のｚ軸方向に直交する面６７及び側壁部９２の間に、空間３０４が設けられている。つまり、ｚ軸方向において、側壁部９２は、スライド脚下端部６４に対して間隔を置いて設けられている。
【００３８】
上記のように、ガス絶縁母線用架台３０Ａでは、粘弾性部材８０が、スライド脚下端部６４及び下側摺動板７４のｚ軸方向の両側に設けられていること、及び、側壁部９２がスライド脚下端部６４に対して間隔を置いて設けられていることで、ｘ軸方向だけでなく、ｚ軸方向のタンクの熱膨張を吸収し、かつ、地震の際のタンクのｚ軸方向の変位を抑制することができる。ガス絶縁母線用架台３０Ａにおける他の構成は、ガス絶縁母線用架台３０と同様である。従って、粘弾性部材８０の配置及び側壁部９２がスライド脚下端部６４に対して間隔を置いて設けられていることに関する説明以外の説明は、ガス絶縁母線用架台３０での説明のとおりである。
【００３９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。例えば、ガス絶縁母線用架台３０と基礎２００との間に、図９に示すような台座１１０を追加してもよい。また、タンク２０及びスライド脚６０の材料は、アルミニウムでもよい。
【符号の説明】
【００４０】
２０  タンク、３０，３０Ａ  ガス絶縁母線用架台、６０  スライド脚、６４  スライド脚下端部（水平部）、６８  接地線（導線）、７０  摺動部材、７３  上側摺動板下面（摺動面）、８０  粘弾性部材、８１  粘弾性部材上面（対向面）、９０  固定部材、２００  基礎
【図１】
2018170878.tif 000003
【図２】
2018170878.tif 000004
【図３】
2018170878.tif 000005
【図４】
2018170878.tif 000006
【図５】
2018170878.tif 000007
【図６】
2018170878.tif 000008
【図７】
2018170878.tif 000009
【図８】
2018170878.tif 000010
【図９】
2018170878.tif 000011